(57)【要約】
【課題】　マルチメディア表示の携帯電話の提供。
【解決手段】　携帯電話内にＣＰＵ、メモリ、タイマー、通信インタフェース、キーセット、コネクタ、発光駆動回路が設けられ、該ＣＰＵがメモリ、タイマー、通信インタフェース及び発光駆動回路に接続され、且つ該通信インタフェースがキーセット及びコネクタに接続され、また、該発光駆動回路に発光器が接続されている。以上の構造により、コネクタにコンピュータ、ＰＤＡ或いはデジタルカメラを接続し、コンピュータ、ＰＤＡ或いはデジタルカメラより画像をＣＰＵに伝送し、並びにプログラム設定によりイメージデータをメモリに保存し、且つプログラムにより表示画像の時間を自動設定して携帯電話のカラーディスプレイパネルにプログラムにより画像を表示させ、並びに発光器を画像の表示に合わせて点灯或いは滅灯させ、携帯電話の節電を達成する。
【選択図】　　　　図１
0003100457.tif 000002
【実用新案登録請求の範囲】
【請求項１】
　携帯電話内に取り付けられて内部回路の制御を行なうＣＰＵと、
　該ＣＰＵに接続されて画像データを保存するメモリと、
　該ＣＰＵに接続され、計時し並びにＣＰＵに出力し、ＣＰＵに計時データを提供するタイマーと、
　該ＣＰＵに接続され、入力された信号を伝送する通信インタフェースと、
　該通信インタフェースに接続され、制御信号入力に用いられるキーセットと、
　該通信インタフェースに接続され、コンピュータ、ＰＤＡ或いはデジタルカメラに接続可能で、コンピュータ、ＰＤＡ或いはデジタルカメラの画像データをＣＰＵに伝送し、該ＣＰＵに表示駆動回路により画像を携帯電話のカラーディスプレイパネルに伝送させるコネクタと、
　該ＣＰＵに接続され、携帯電話のカラーディスプレイパネルの下方に取り付けられた発光器が接続され、発光器を画像表示に合わせて点灯或いは滅灯させる発光駆動回路と、
　を具えたことを特徴とする、マルチメディア携帯電話のディスプレイパネル発光器。
【請求項２】
　請求項１記載のマルチメディア携帯電話のディスプレイパネル発光器において、発光器がバックライト板或いはフロントライト板に設計されたことを特徴とする、マルチメディア携帯電話のディスプレイパネル発光器。
【請求項３】
　請求項１記載のマルチメディア携帯電話のディスプレイパネル発光器において、携帯電話のカラーディスプレイパネルが自身が発光するＥＬパネル、ＯＬＥＤパネル或いはＰＬＥＤパネルに設計されて発光並びに画像表示可能とされたことを特徴とする、マルチメディア携帯電話のディスプレイパネル発光器。
【請求項４】
　請求項１記載のマルチメディア携帯電話のディスプレイパネル発光器において、コネクタが受信器に変更され、且つ該受信器がコンピュータ、ＰＤＡ或いはデジタルカメラに接続された発射器の信号を受信可能とされ、無線方式でデータ伝送を行なうことを特徴とする、マルチメディア携帯電話のディスプレイパネル発光器。
【考案の詳細な説明】
【技術分野】
【０００１】
　本考案は一種のマルチメディア携帯電話のディスプレイパネル発光器に係り、携帯電話のディスプレイパネルの下方に発光器が取り付けられ、且つ携帯電話のカラーディスプレイパネルがプログラムにより画像表示の時間を自動設定可能とされ、並びに発光器が画像の表示に合わせて点灯或いは滅灯させられ、携帯電話の電気エネルギーを節約できる、マルチメディア携帯電話のディスプレイパネル発光器に関する。
【背景技術】
【０００２】
　携帯電話はすでに最も便利で普及した通信工具となっており、携帯電話は通信に用いられるほか、若者の好む流行商品となっており、各メーカーは次々に各種の新式の携帯電話を販売して若い消費者群を引きつけている。
【０００３】
　一般に携帯電話のディスプレイパネルは情報を表示するほか、イメージを表示することもできるが、その表示できるフレームの多くは携帯電話自身の設定フレームとされ、異なるイメージフレームに交換することはできても、固定されたフレームであり、随時自分で交換することはできず、単調で趣味性がない。
【０００４】
　また、市販されている携帯電話にはドローイングや動画の機能を具備するものもあり、携帯電話の所有者が自分で好みのイメージを描いて多くのイメージを連続表示してそれに動画効果を発生させることができる。また、携帯電話自身がアルバムの機能を具備して写真を表示できるものもある。しかし、携帯電話の提供できる動画機能はコンピュータのようには便利に運用できず、ゆえにその発生する動画効果は理想的ではなく、改善が求められている。
【０００５】
　さらに、周知の携帯電話の多くのディスプレイパネルは単色であり、カラーフレーム表示が行なえず、現在売り出されている新しい携帯電話はカラーディスプレイパネルを具えているが、カラーディスプレイパネルは起動時に全面発光表示を行なうために携帯電話の電気エネルギーを相当に消費する。また、一般に携帯電話は待機時にカラーディスプレイパネルが完全には点灯せず暗いフレームとなり、携帯電話を使用する時だけカラーディスプレイパネルが観世に発光し明るいフレームを呈する。しかしこれでは携帯電話に完全表示の目的を達成させることはできず、携帯電話のカラーディスプレイパネルが暗いと完全にはフレームを観ることができないため、カラーディスプレイパネルの効果を失ってしまう。
【考案の開示】
【考案が解決しようとする課題】
【０００６】
　本考案は上述の周知の携帯電話の欠点を鑑み、一種のマルチメディア表示或いは自動アルバム機能を具えたマルチメディア携帯電話のディスプレイパネル発光器を提供するものである。それは、携帯電話のディスプレイパネルの下方に発光器を取り付け、且つ携帯電話のカラーディスプレイパネルがプログラムにより画像表示時間を自動設定できるようにし、並びに発光器を画像の表示に合わせて点灯或いは滅灯させて、携帯電話の電気エネルギーを節約できるようにしたものとする。
【課題を解決するための手段】
【０００７】
　請求項１の考案は、携帯電話内に取り付けられて内部回路の制御を行なうＣＰＵと、
　該ＣＰＵに接続されて画像データを保存するメモリと、
　該ＣＰＵに接続され、計時し並びにＣＰＵに出力し、ＣＰＵに計時データを提供するタイマーと、
　該ＣＰＵに接続され、入力された信号を伝送する通信インタフェースと、
　該通信インタフェースに接続され、制御信号入力に用いられるキーセットと、
　該通信インタフェースに接続され、コンピュータ、ＰＤＡ或いはデジタルカメラに接続可能で、コンピュータ、ＰＤＡ或いはデジタルカメラの画像データをＣＰＵに伝送し、該ＣＰＵに表示駆動回路により画像を携帯電話のカラーディスプレイパネルに伝送させるコネクタと、
　該ＣＰＵに接続され、携帯電話のカラーディスプレイパネルの下方に取り付けられた発光器が接続され、発光器を画像表示に合わせて点灯或いは滅灯させる発光駆動回路と、
　を具えたことを特徴とする、マルチメディア携帯電話のディスプレイパネル発光器としている。
　請求項２の考案は、請求項１記載のマルチメディア携帯電話のディスプレイパネル発光器において、発光器がバックライト板或いはフロントライト板に設計されたことを特徴とする、マルチメディア携帯電話のディスプレイパネル発光器としている。
　請求項３の考案は、請求項１記載のマルチメディア携帯電話のディスプレイパネル発光器において、携帯電話のカラーディスプレイパネルが自身が発光するＥＬパネル、ＯＬＥＤパネル或いはＰＬＥＤパネルに設計されて発光並びに画像表示可能とされたことを特徴とする、マルチメディア携帯電話のディスプレイパネル発光器としている。
　請求項４の考案は、請求項１記載のマルチメディア携帯電話のディスプレイパネル発光器において、コネクタが受信器に変更され、且つ該受信器がコンピュータ、ＰＤＡ或いはデジタルカメラに接続された発射器の信号を受信可能とされ、無線方式でデータ伝送を行なうことを特徴とする、マルチメディア携帯電話のディスプレイパネル発光器としている。
【考案の効果】
【０００８】
　本考案は上述の周知の携帯電話の欠点を改善したマルチメディア携帯電話のディスプレイパネル発光器を提供しており、それは、携帯電話のディスプレイパネルの下方に発光器が取り付けられ、且つ携帯電話のカラーディスプレイパネルがプログラムにより画像表示の時間を自動設定可能とされ、並びに発光器が画像の表示に合わせて点灯或いは滅灯させられ、携帯電話の電気エネルギーを節約できる。
【考案を実施するための最良の形態】
【０００９】
　本考案のマルチメディア携帯電話のディスプレイパネル発光器は、携帯電話内にＣＰＵ、メモリ、タイマー、通信インタフェース、キーセット、コネクタ、発光駆動回路が設けられ、該ＣＰＵがメモリ、タイマー、通信インタフェース及び発光駆動回路に接続され、且つ該通信インタフェースがキーセット及びコネクタに接続され、また、該発光駆動回路に発光器が接続されている。以上の構造により、コネクタにコンピュータ、ＰＤＡ或いはデジタルカメラを接続し、コンピュータ、ＰＤＡ或いはデジタルカメラより画像をＣＰＵに伝送し、並びにプログラム設定によりイメージデータをメモリに保存し、且つプログラムにより表示画像の時間を自動設定して携帯電話のカラーディスプレイパネルにプログラムにより画像を表示させ、並びに発光器を画像の表示に合わせて点灯或いは滅灯させ、携帯電話の節電を達成する。
【実施例１】
【００１０】
　図１、２に示されるように、本考案によると、携帯電話内に、ＣＰＵ１、メモリ２、タイマー３、通信インタフェース４、キーセット５、コネクタ６、発光駆動回路７が設けられている。
【００１１】
　該ＣＰＵ１は、携帯電話内に取り付けられ、該ＣＰＵ１は内部回路の制御を行なう。
【００１２】
　該メモリ２は、ＣＰＵ１に接続され、該メモリ２は画像データを保存する。
【００１３】
　該タイマー３は、ＣＰＵ１に接続され、計時し並びにＣＰＵ１に出力し、ＣＰＵ１に計時データを提供する。
【００１４】
　該通信インタフェース４は、ＣＰＵ１に接続され、該通信インタフェース４は入力された信号を伝送する。
【００１５】
　該キーセット５は、通信インタフェース４に接続され、該キーセット５は制御信号入力に用いられる。
【００１６】
　該コネクタ６は、通信インタフェース４に接続され、該コネクタ６がコンピュータ、ＰＤＡ或いはデジタルカメラ８に接続可能で、コンピュータ、ＰＤＡ或いはデジタルカメラ８の画像データをＣＰＵ１に伝送し、該ＣＰＵ１がこれにより表示駆動回路９１により画像を携帯電話のカラーディスプレイパネル９に伝送する。
【００１７】
　発光駆動回路７は、ＣＰＵ１に接続され、該発光駆動回路７に携帯電話のカラーディスプレイパネル９の下方に取り付けられた発光器７１が接続され、発光器７１がこれにより画像表示に合わせて点灯或いは滅灯させられる。
【００１８】
　以上の構造により、携帯電話１のコネクタ６にコンピュータ、ＰＤＡ或いはデジタルカメラ８を接続でき、さらにコンピュータ、ＰＤＡ或いはデジタルカメラ８より画像データを通信インタフェース４に伝送し、並びに該通信インタフェース４により該画像データをＣＰＵ１に送り、その後、ＣＰＵ１の制御によりメモリ２に保存できる。その後、プログラム制御によりＣＰＵ１がメモリ２より画像データを読み取り、さらに携帯電話のカラーディスプレイパネル９に伝送し表示させる。携帯電話のカラーディスプレイパネル９はプログラム設定により異なるフレームに自動交換でき、これにより消費者を吸引することができる。
【００１９】
　携帯電話に自動表示効果を達成させるため、使用者はまず表示したい画像をコンピュータ、ＰＤＡ或いはデジタルカメラ８において編集し、各画像フレーム表示の順序及び時間を決定し、さらに画像及び制御データをメモリ２に伝送する。携帯電話が起動する時、ボタン制御により順序表示及び定時表示が行なわれるが、電力を節約するため、各フレームの表示時には不完全発光とされ、使用者が各一つのフレームに対してフレーム表示過程中に自分で時分割段階式発光を決定でき、これによりある時には発光器７１を点灯させてフレームを明晰とし、またある時には発光器７１を切断して電力を節約する。
【００２０】
　コンピュータ、ＰＤＡ或いはデジタルカメラ８がイメージデータを入力する時にはインストールプログラムによる制御が必要で、インストールプログラムの設定フローは図２に示されるとおりであり、まず、第１フレーム（Ｐ１）よりフレーム（Ｐｉ）の入力を開始し、フレーム（Ｐｉ）の総数（Ｎ）まで入力し、その後、さらに各フレーム（Ｐｉ）の光源オン時間（Ｔｉ１）及び光源オフ時間（Ｔｉｎ）を設定する。このときプログラムが光源オン時間（Ｔｉ１）及び光源オフ時間（Ｔｉｎ）の設定が完成したかを判断する。未設定であれば新たに光源オン時間（Ｔｉ１）及び光源オフ時間（Ｔｉｎ）の設定を完成し、設定完成していれば、第１フレーム（Ｐ１）より各フレーム（Ｐｉ）の表示時間長さ（Ｌｉ）を自動計算開始する。表示時間長さ（Ｌｉ）＝光源オフ時間（Ｔｉｎ）−光源オン時間（Ｔｉ１）である。このときプログラムが再度表示時間長さ（Ｌｉ）の計算が完成したかを判断し、計算未完成であれば新たに表示時間長さ（Ｌｉ）を計算し、計算済みであれば表示時間長さ（Ｌｉ）分割のステップに進み、このステップでは第１フレーム（Ｐ１）より表示時間長さ（Ｌｉ）を複数の発光セクション〔Ｔｉ１，Ｔｉ２〕・・・〔Ｔｉ（ｎ−１），Ｔｉｎ〕に分割する。そのうち、Ｔｉ１・・・Ｔｉ（ｎ−１）はオンの時間点、またＴｉ２・・・Ｔｉｎはオフの時間点である。その後、さらに分割動作が完成したかを判断し、未完成であれば新たに分割設定し、完成済みであればインストールプログラムを終了する。
【００２１】
　表示プログラムの動作フローは図３に示されるようであり、ＣＰＵ１がタイマー３より現在時間を読み取り、その後、インストールプログラムの各フレーム（Ｐｉ）の光源オン時間（Ｔｉ１）と現在時間が同じであるかを比較し、その時刻と設定されたフレーム（Ｐｉ）の光源オン時間（Ｔｉ１）が異なれば、ＣＰＵ１が続けてタイマー３の時間を読み取り、並びに設定された光源オン時間（Ｔｉ１）と比較する。反対にＣＰＵ１がタイマー３より読み取った現在時間が設定されたフレーム（Ｐｉ）の光源オン時間（Ｔｉ１）と同じであれば、ＣＰＵ１がメモリ２の画像データを読み取り、並びに該フレーム（Ｐｉ）を表示し、その後、プログラムが現在時間と該フレーム（Ｐｉ）の表示時間長さ（Ｌｉ）を比較し、すでにフレーム（Ｐｉ）の表示時間長さ（Ｌｉ）を超過していれば、最後のフレーム（Ｐｎ）であるかを判断し、もし最後のフレーム（Ｐｎ）であれば、現在時間を読み取り新たに開始し、もし最後のフレーム（Ｐｎ）でなければ、次のフレーム（Ｐｉ＋１）に変換表示する。その後、プログラムがさらに現在時間と各発光セクション〔Ｔｉ１，Ｔｉ２〕・・・〔Ｔｉ（ｎ−１），Ｔｉｎ〕の光源オン時間Ｔｉ１・・・Ｔｉ（ｎ−１）を比較し、もし時間が同じであれば発光器７１を点灯し、逆に時間が違えば現在時間を読み取り、現在時間と各発光セクション〔Ｔｉ１，Ｔｉ２〕・・・〔Ｔｉ（ｎ−１），Ｔｉｎ〕の光源オフ時間Ｔｉ２・・・Ｔｉｎが同じ時、発光器７１をオフとし、現在時間が異なる時は続いて発光器７１を点灯し、こうして各フレーム（Ｐｉ）にあって段階発光或いは不発光とし、フレーム（Ｐｉ）の表示は図４に示される時間座標図に示されるようであり、こうして携帯電話のカラーディスプレイパネル９がプログラムによりフレーム（Ｐｉ）を定時変換表示し、並びに発光器７１が各フレーム（Ｐｉ）に合わせて段階式に点灯或いは滅灯し、携帯電話の電気エネルギーを節約する。
【００２２】
　さらに発光器７１は発光するバックライト板或いはフロントライト板に設計可能である。或いは携帯電話のカラーディスプレイパネル９は自身が発光するＥＬパネル、ＯＬＥＤパネル或いはＰＬＥＤパネル９ａに設計可能であり、図５に示されるように、ＣＰＵ１が画像をＥＬパネル、ＯＬＥＤパネル或いはＰＬＥＤパネル９ａに伝送した後に発光し並びに画像を表示でき、これにより発光駆動回路７と発光器７１が省略される。これは本考案の別の実施例である。
【００２３】
　図１に示されるように、コネクタ６は設計の必要により受信器６ａに変更可能で、且つ該受信器６ａはコンピュータ、ＰＤＡ或いはデジタルカメラ８に接続された発射器６ｂの信号を受信可能である。これもまた本考案の別の実施例である。
　総合すると、本考案に記載の構造は従来にはないものであり、且つ確実に上述の効果を達成し、実用新案登録の要件を具備している。
【図面の簡単な説明】
【００２４】
【図１】本考案の電気回路ブロック図である。
【図２】本考案に使用されるインストールプログラムフローチャートである。
【図３】本考案に使用される表示プログラムフローチャートである。
【図４】本考案に使用される表示時間座標図である。
【図５】本考案の別の実施例の電気回路ブロック図である。
【符号の説明】
【００２５】
１　ＣＰＵ　　　　　　　　　　　　　２　メモリ
３　タイマー　　　　　　　　　　　　４　通信インタフェース
５　キーセット　　　　　　　　　　　６　コネクタ
６ａ　受信器　　　　　　　　　　　　６ｂ　発射器
７　発光駆動回路　　　　　　　　　　７１　発光器
８　コンピュータ、ＰＤＡ或いはデジタルカメラ
９　カラーディスプレイパネル
９１　表示駆動回路
９ａ　ＥＬパネル、ＯＬＥＤパネル或いはＰＬＥＤパネル
【図１】
0003100457.tif 000003
【図２】
0003100457.tif 000004
【図３】
0003100457.tif 000005
【図４】
0003100457.tif 000006
【図５】
0003100457.tif 000007